(57)【要約】      （修正有）【課題】ウェイト飾り物の重力により可撓性耳掛けが眼鏡本体を後方へ引っ張ることで、眼鏡の安定的な装着が可能となる可撓性眼鏡脚を有する眼鏡構造を提供する。【解決手段】眼鏡本体１０と、２つの可撓性耳掛け２０と、を含む。眼鏡本体の２つの側縁には、上係合孔１１と下係合孔１２とが設けられている。各可撓性耳掛けは、上引張部２１と、下引張部２２と、耳掛け部２３とを含む。上引張部と下引張部は、対応する上係合孔と下係合孔とにそれぞれ接続されている。各耳掛け部の後段には、ウェイト飾り物３０が設けられている。可撓性耳掛けのパターンとウェイト飾り物の造形は必要に応じて変換することができる。【選択図】図１
0003214869.tif 000002
【実用新案登録請求の範囲】
【請求項１】
２つの側縁を含み、各側縁には少なくとも１つの上係合孔と少なくとも１つの下係合孔とが設けられている眼鏡本体と、
上引張部と、下引張部と、耳掛け部とを含む２つの可撓性耳掛けであって、上、下引張部の第１端は該眼鏡本体の一方の側縁の上係合孔と下係合孔とにそれぞれ接続され、該上、下引張部の第２端は該耳掛け部の先端に接続されている２つの可撓性耳掛けと、
各可撓性耳掛けの耳掛け部の終端または後段に接続されている少なくとも１つのウェイト飾り物と、
を備えることを特徴とする可撓性眼鏡脚を有する眼鏡構造。
【請求項２】
該上、下引張部の第１端には該眼鏡本体の上係合孔と下係合孔とに接続される係止部材がそれぞれ設けられていることを特徴とする請求項１に記載の可撓性眼鏡脚を有する眼鏡構造。
【請求項３】
該可撓性耳掛けは、柔らかい線、縄またはチェーンからなることを特徴とする請求項１に記載の可撓性眼鏡脚を有する眼鏡構造。
【請求項４】
該ウェイト飾り物は重量のある造形物でかつ非金属または金属材料からなることを特徴とする請求項１に記載の可撓性眼鏡脚を有する眼鏡構造。
【考案の詳細な説明】
【技術分野】
【０００１】
本考案は、眼鏡に関し、特に可撓性眼鏡脚を有する眼鏡構造に関するものである。
【背景技術】
【０００２】
一般的には、眼鏡構造は眼鏡枠本体と該眼鏡枠本体の両側に枢接された２つの眼鏡脚からなることが多い。眼鏡枠本体には２つのレンズと鼻パッドとが固定されている。装着時の際に、鼻パッドを鼻の先端に当接させ、２つの眼鏡脚を耳の上方に支持させることで、眼鏡をユーザの顔に安定的に架設させることができる。このような装着モードは、従来よりほとんど変化なく広く応用されている。
【０００３】
しかしながら、眼鏡は、体に装着した衣服のように珍しいパターンと質感を有していれば、装着効果の創出のみならず、ユーザ個人の気質を目立たせることもできる。従って、関連創造者または眼鏡業者は今でも革新を追い求めている。
【０００４】
眼鏡の眼鏡構造に対して伝統を突破する変革を行うことは、さらに考慮すべき方向とも考えられる。
【考案の概要】
【考案が解決しようとする課題】
【０００５】
そこで、本考案は、眼鏡構造の部材と装着方式が従来の眼鏡構造と異なり、ユーザへの装着のみならず、新規な眼鏡装着モードを創出可能な、可撓性眼鏡脚を有する眼鏡構造を提供することを目的とする。
【課題を解決するための手段】
【０００６】
本考案に係る可撓性眼鏡脚を有する眼鏡構造は、眼鏡本体と、２つの可撓性耳掛けと、少なくとも１つのウェイト飾り物とを含む。該眼鏡本体の２つの側縁には、少なくとも１つの上係合孔と少なくとも１つの下係合孔とがそれぞれ設けられている。各可撓性耳掛けは、上引張部と、下引張部と、耳掛け部とを含む。該上引張部と該下引張部の第１端は、対応する上係合孔と対応する下係合孔とにそれぞれ接続され、かつ該上引張部と該下引張部の第２端は、耳掛け部の先端に接続されている。該少なくとも１つのウェイト飾り物は、該耳掛け部の終端または後段に設けられている。
【考案の効果】
【０００７】
本考案に係る可撓性眼鏡脚を有する眼鏡構造によれば、ウェイト飾り物の重力により可撓性耳掛けが眼鏡本体を後方へ引っ張ることで、眼鏡本体はユーザの眼鏡の前方に安定的に装着可能となる。また、ユーザは質感の異なる可撓性耳掛け、または造形、数量の異なるウェイト飾り物を変換できるため、該眼鏡は革新かつ並々ならぬ装着モードを創出可能である。
【図面の簡単な説明】
【０００８】
【図１】本考案に係る可撓性眼鏡脚を有する眼鏡構造の立体図である。
【図２】図１の眼鏡の素子分解図である。
【図３】図１の眼鏡がユーザの顔に装着された様子の模式図である。
【図４】図１の眼鏡がユーザの顔に装着された様子の他の模式図である。
【考案を実施するための形態】
【０００９】
図１及び図２に示すように、本考案に係る眼鏡構造は、眼鏡本体１０と、２つの可撓性耳掛け２０と、少なくとも１つのウェイト飾り物３０とを含む。眼鏡本体１０は、２つの側縁１３を有し、各側縁１３には少なくとも１つの上係合孔１１と、上係合孔１１と離間した少なくとも１つの下係合孔１２とが設けられている。この実施例において、各側縁１３には２つの上係合孔１１と２つの下係合孔１２とが設けられ、２つの側縁１３の上係合孔１１と下係合孔１２は位置的に対応している。該２つの上係合孔１１と該２つの下係合孔１２とは離間して配置されてもよく、一体に配置されてもよい。
【００１０】
各可撓性耳掛け２０は可撓性を有する材料からなり、上引張部２１と、下引張部２２と、耳掛け部２３とを含む。上引張部２１と下引張部２２の第１端（先端）には、眼鏡本体１０に対応する上係合孔１１と下係合孔１２とそれぞれ結合する係止部材２４がそれぞれ設けれている。上引張部２１と下引張部２２の第２端（後端）はともに耳掛け部２３の先端に結合されることで、各可撓性耳掛け２０の上、下引張部２１、２２は、眼鏡本体１０に対応する一方の側縁１３とは略三角形を形成している。上、下引張部２１、２２及び耳掛け部２３は柔らかい線、縄またはチェーンであってもよく、その材質は非金属、金属またはそれらの組み合わせで合ってもよい。
【００１１】
ウェイト飾り物３０は、重量を有する造形物でありかつ各可撓性耳掛け２０の耳掛け部２３の終端又は後段に接続されることで、各可撓性耳掛け２０とウェイト飾り物３０とは可撓性眼鏡脚を構成する。ウェイト飾り物３０は、非金属または金属材料からなり、材質または造形の異なるウェイト飾り物３０に変換することで、眼鏡の装飾機能を向上可能である。
【００１２】
図３及び図４に示すように、本考案に係る眼鏡の装着使用においては、眼鏡本体１０をユーザの鼻梁に架設し、該２つの可撓性耳掛け２０を後方へユーザの耳にまたがるように延在させ、ウェイト飾り物３０を耳の後に垂下させる。これにより、ウェイト飾り物３０の重力により可撓性耳掛け２０を引っ張って、眼鏡本体１０を後方へ引っ張らせる作用を奏するため、眼鏡本体１０はユーザの目の前方に安定的に装着可能となる。
【００１３】
ユーザは、上引張部２１または下引張部２２の接合孔位置を変更することで、可撓性耳掛け２０の好ましい配置角度を調整することができる。また、可撓性耳掛け２０とウェイト飾り物３０は必要に応じて異なる材質のものを準備しておくことで、ユーザは態様の異なる可撓性耳掛け２０、または造形、数量の異なるウェイト飾り物３０を自由に変更することができ、革新かつ並々ならぬ眼鏡構造を創出可能である。
【００１４】
上記のように、これらの実施の形態における図示の素子比例、寸法及び数量は必要に応じて変更可能であり、本考案に係る実施範囲を限定するものではない。本考案に係る保護範囲は、特許請求の範囲に記載されたものに準ずる。
【００１５】
以上のように、本考案では、２つの側縁を含み、各側縁には少なくとも１つの上係合孔と少なくとも１つの下係合孔とが設けられている眼鏡本体と、上引張部と、下引張部と、耳掛け部とを含む２つの可撓性耳掛けであって、上、下引張部の第１端は該眼鏡本体の一方の側縁の上係合孔と下係合孔とにそれぞれ接続され、該上、下引張部の第２端は該耳掛け部の先端に接続されている２つの可撓性耳掛けと、各可撓性耳掛けの耳掛け部の終端または後段に接続されている少なくとも１つのウェイト飾り物と、を備えることを特徴とする可撓性眼鏡脚を有する眼鏡構造とするものである。
【００１６】
また、該上、下引張部の第１端には該眼鏡本体の上係合孔と下係合孔とに接続される係止部材がそれぞれ設けられているものとする。
【００１７】
また、該可撓性耳掛けは、柔らかい線、縄またはチェーンからなるものとする。
【００１８】
また、該ウェイト飾り物は重量のある造形物でかつ非金属または金属材料からなるものとする。
【産業上の利用可能性】
【００１９】
本考案に係る可撓性眼鏡脚を有する眼鏡構造によれば、ウェイト飾り物の重力により可撓性耳掛けが眼鏡本体を後方へ引っ張ることで、眼鏡本体はユーザの眼鏡の前方に安定的に装着可能となる。また、ユーザは質感の異なる可撓性耳掛け、または造形、数量の異なるウェイト飾り物を変換できるため、該眼鏡は革新かつ並々ならぬ装着モードを創出可能である。
【符号の説明】
【００２０】
１０  眼鏡本体
１１  上係合孔
１２  下係合孔
１３  側縁
２０  可撓性耳掛け
２１  上引張部
２２  下引張部
２３  耳掛け部
２４  係止部材
３０  ウェイト飾り物
【図１】
0003214869.tif 000003
【図２】
0003214869.tif 000004
【図３】
0003214869.tif 000005
【図４】
0003214869.tif 000006